(57)【要約】【課題】部品点数を少なくでき、小型化させた、従来とは異なる構造のチューブラー・ピンタンブラー錠を提供する。【解決手段】チューブラー・ピンタンブラー錠１は、円筒状のキー５を挿し込み回転操作することにより施錠又は解錠することができ、前側端面２ａに複数のピン孔２１を周方向に設けた円盤体２と、ピン孔２１に配列され、外周面３ａに周方向に渡る凹溝３１を少なくとも一つ備えたコードピン３と、内周縁側に内側に突出する突歯部４２を備え、常時は突歯部４２がコードピン３の外周面３ａに当たり円盤体２の回転を規制し、キー５の挿し込み時にコードピン３が押し込まれて凹溝３１が突歯部４２の位置に揃い、円盤体２を回転可能とするロックリング４と、を備えたことを特徴とする。【選択図】図２
2020063627.tif 000002
【特許請求の範囲】
【請求項１】
円筒状のキーを挿し込み回転操作することにより施錠又は解錠するチューブラー・ピンタンブラー錠であって、
前側端面に複数のピン孔を周方向に設けた円盤体と、
前記ピン孔に配列され、外周面に周方向に渡る凹溝を少なくとも一つ備えたコードピンと、
内周縁側に内側に突出する突歯部を備え、常時は前記突歯部が前記コードピンの外周面に当たり前記円盤体の回転を規制し、前記キーの挿し込み時に前記コードピンが押し込まれて前記凹溝が前記突歯部の位置に揃い、前記円盤体を回転可能とするロックリングと、
を備えたチューブラー・ピンタンブラー錠。
【請求項２】
前記コードピンは、少なくとも２つの前記凹溝を備え、前側の前記凹溝を前記突歯部の位置に合わせる個別キーと、後側の前記凹溝を前記突歯部の位置に合わせるマスターキーと、を備えた請求項１に記載のチューブラー・ピンタンブラー錠。
【請求項３】
対象物に連結可能とする連結爪を有するスライド部を備え、
該スライド部は、細長状凹部を備え、
前記円盤体は、後側端面に、該細長状凹部に移動可能に挿し込まれ、前記円盤体の回転により該スライド部をスライドさせる凸軸部を備えた、
請求項１又は２に記載のチューブラー・ピンタンブラー錠。
【請求項４】
対象物に連結可能とする連結爪を有するスライド部を備え、
該スライド部は、ロックボタンの押し込みによりスライドし、ケーシングに備えた係止受部に係止して該スライド部の位置を固定させる係止部を備え、
前記円盤体は、後側端面に、前記円盤体の回転により該係止部の該係止受部への係止を解除させる凸軸部を備えた、
請求項１又は２に記載のチューブラー・ピンタンブラー錠。
【請求項５】
前記チューブラー・ピンタンブラー錠は、外形の長さ及び高さが２０ｍｍ以内である請求項１〜４のいずれかに記載のチューブラー・ピンタンブラー錠。
【請求項６】
請求項１〜５のいずれかに記載のチューブラー・ピンタンブラー錠を備えた情報機器盗難防止用ロック。
【発明の詳細な説明】
【技術分野】
【０００１】
本発明は、チューブラー・ピンタンブラー錠及びそれを備えた情報機器盗難防止用ロックに関する。
【背景技術】
【０００２】
チューブラー・ピンタンブラー錠（八万ロックともいう。）は、円筒状の鍵を用いて施錠又は解錠する錠である。
【０００３】
チューブラー・ピンタンブラー錠の一般的な構造は、下記特許文献１の「従来の技術」欄に示されている。これは、図１５に示すように、円柱形状のコードピン１２１、キー操作により回転する円盤体１２２、基台１２３、キー１２４を備えている。コードピン１２１は円盤体１２２に保持されてリング状に複数配列されている。また、基台１２３にも施錠状態で円盤体１２２のコードピン配列と同一位置にコードピン１２１が配列され、更に下部にコイルバネ１２５が配置されてコードピン１２１を上方に付勢している。そして、キー１２４を挿入することで、それぞれのコードピン１２１を所定量押込み、円盤体１２２と基台１２３の双方に渡り保持されるコードピンを無くすことで、円盤体１２２が回動可能となり、円盤体１２２に連結されている係止片１２６を回動させて開錠操作及び施錠操作を可能とするものである。
【０００４】
チューブラー・ピンタンブラー錠は、コンピュータ、エレベータ、自動販売機のコイン入れなどによく使われており、ノート型パソコンやタブレット型パソコンなどの情報機器の盗難防止用ロック（セキュリティロックともいう。）に使われることもある。
盗難防止用ロックは、例えば、ワイヤーなどから作製され、ワイヤーの一端側を、チューブラー・ピンタンブラー錠などからなる連結部として情報機器に設けてある長孔状のセキュリティスロットに取付固定できるようにし、他端側を机など固定物に縛り付けるなどして結合し、その場所から持ち去られないようにすることができるものである。
【０００５】
盗難防止用ロックの従来例として、下記特許文献２には、パソコン等の器具の盗難を防止するために器具の筐体等に形成された矩形スリットに取り付けられる連結具と、連結具に連繋されたケーブルを備えたセキュリティロックが開示されている。
【先行技術文献】
【特許文献】
【０００６】
【特許文献１】特開２００２−２６６５３４号公報
【特許文献２】特許第４７９１８９３号公報
【発明の概要】
【発明が解決しようとする課題】
【０００７】
従来のチューブラー・ピンタンブラー錠は、コードピンを長手方向に少なくとも２本配する必要がある。そのため、部品点数が多くなり、組み立て作業が煩雑であるという問題があった。
また、部品点数が多くなるため、外形サイズを小さくしにくいという問題があった。最近ではノート・タブレットパソコンの小型化・薄型化が進み、セキュリティロックの錠前部分も小さくすることが要求されるものである。
【０００８】
そこで、本発明の目的は、部品点数を少なくでき、小型化させた、従来とは異なる構造のチューブラー・ピンタンブラー錠を提供することにあり、さらには、このチューブラー・ピンタンブラー錠は、マスターキーも設定しやすいものとする。
【課題を解決するための手段】
【０００９】
本発明の一形態のチューブラー・ピンタンブラー錠は、円筒状のキーを挿し込み回転操作することにより施錠又は解錠するチューブラー・ピンタンブラー錠であって、前側端面に複数のピン孔を周方向に設けた円盤体と、ピン孔に配列され、外周面に周方向に渡る凹溝を少なくとも一つ備えたコードピンと、内周縁側に内側に突出する突歯部を備え、常時は突歯部がコードピンの外周面に当たり円盤体の回転を規制し、キーの挿し込み時にコードピンが押し込まれて凹溝が突歯部の位置に揃い、円盤体を回転可能とするロックリングと、を備えたことを特徴とする。
【００１０】
本発明は、コードピンの凹溝をロックリングの突歯部の位置に合わせれば解錠することができ、従来とは異なる構造で施錠又は解錠することができる。また、従来ではコードピンを長手方向に少なくとも２本配していたが、本発明では、長手方向に１本配すればよく、部品点数を少なくすることができる。
【００１１】
上記一形態のチューブラー・ピンタンブラー錠において、コードピンは、少なくとも２つの凹溝を備え、前側の凹溝を突歯部の位置に合わせる個別キーと、後側の凹溝を突歯部の位置に合わせるマスターキーと、を備えることができる。
このように、凹溝の数を増やすことにより、マスターキーも設定することができる。また、マスターキーを設定しても、部品点数が増えないので外形サイズを大きくせずに済む。
【００１２】
上記一形態のチューブラー・ピンタンブラー錠において、対象物に連結可能とする連結爪を有するスライド部を備え、スライド部は、細長状凹部を備え、円盤体は、後側端面に、該細長状凹部に移動可能に挿し込まれ、円盤体の回転によりスライド部をスライドさせる凸軸部を備えることができる。或いは、対象物に連結可能とする連結爪を有するスライド部を備え、スライド部は、ロックボタンの押し込みによりスライドし、ケーシングに備えた係止受部に係止してスライド部の位置を固定させる係止部を備え、円盤体は、後側端面に、円盤体の回転により係止部の係止受部への係止を解除させる凸軸部を備えることができる。
【００１３】
このようにすることにより、キーを回転操作することにより連結爪がスライド部とともにスライドし、対象物に着脱させることができる。また、ロックボタンを設けた構成にすれば、ロックボタンを押して対象物に取り付けられ、また、キーの回転操作により対象物から取り外すことができ、取付作業を簡便にすることができる。
【００１４】
上記形態のチューブラー・ピンタンブラー錠において、外形の長さ及び高さを２０ｍｍ以内と外形サイズをコンパクトにすることができる。そのため、上記形態のチューブラー・ピンタンブラー錠は、情報機器盗難防止用ロックに用いることが好適である。
【図面の簡単な説明】
【００１５】
【図１】本発明の第一の実施形態のチューブラー・ピンタンブラー錠の斜視図である。
【図２】図１のチューブラー・ピンタンブラー錠を分解して示した斜視図である。
【図３】図１のチューブラー・ピンタンブラー錠を施錠した状態を示した断面図である。
【図４】図１のチューブラー・ピンタンブラー錠の構成部品である円盤体及びコードピンを示した斜視図である。
【図５】図１のチューブラー・ピンタンブラー錠のキーを示した斜視図である。
【図６】図１のチューブラー・ピンタンブラー錠において、キーを挿入する前の円盤体、コードピン及びロックリングの状態を示した斜視図である。
【図７】図１のチューブラー・ピンタンブラー錠において、キーを挿入して押込みした後の円盤体、コードピン及びロックリングの状態を示した斜視図である。
【図８】図１のチューブラー・ピンタンブラー錠において、解錠する場合のキー、コードピン及びロックリングの位置関係を示し、（ａ）は施錠時、（ｂ）は個別のキーによる解錠時、（ｃ）はマスターキーによる解錠時を示す。
【図９】図１のチューブラー・ピンタンブラー錠の一変形例を示し、その構成部品である円盤体、コードピン及びロックリングを示した斜視図である。
【図１０】本発明の第二の実施形態のチューブラー・ピンタンブラー錠の斜視図である。
【図１１】図１０のチューブラー・ピンタンブラー錠を分解して示した斜視図である。
【図１２】図１０のチューブラー・ピンタンブラー錠を解錠した状態を示した断面図である。
【図１３】図１０のチューブラー・ピンタンブラー錠において、係止部及び係止受部の作用を説明するための図である。
【図１４】図１０のチューブラー・ピンタンブラー錠を施錠した状態を示した断面図である。
【図１５】従来例のチューブラー・ピンタンブラー錠を示し、（ａ）は側面図、（ｂ）は主用部の断面図、（ｃ）はキー挿入部平面図である。
【発明を実施するための形態】
【００１６】
以下、本発明の第一の実施形態のチューブラー・ピンタンブラー錠を説明する。但し、本発明は、この実施形態に限定されるものではない。
【００１７】
本発明の第一の実施形態のチューブラー・ピンタンブラー錠１（以下、単に錠１と略す。）は、図１〜図３に示すように、円盤体２と、コードピン３と、ロックリング４と、キー５と、連結爪６１を有するスライド部６と、ケーシング７とを主に備える。
以下、錠１を説明するにあたり、キー５の挿入方向を前後方向として、キー５を挿入する挿入口７５側を前側とし、スライド部６のスライド方向を上下方向とし、連結爪６１側を上側とする。
【００１８】
円盤体２は、図２又は図４に示すように、円柱形状としてあり、ケーシング７内に回転可能に配してある。
円盤体２には、コードピン３を挿し込めるピン孔２１が複数設けてある。ピン孔２１は、円盤体２の周方向に適宜間隔で設けてあり、前後方向に貫通するようにしてある。本実施形態では、ピン孔２１を８ヶ所設けてあるが、これに限定されるものではない。
円盤体２の前側端面２ａは、中心付近を円柱状に二段に突出させてあり、先端側の凸部２２と基端側の凸部２３とを備える。
先端側凸部２２は、キー５の内部に挿し込まれるようにしてある。
基端側凸部２３には、前側に突出する一条の係合凸部２４が上下方向に沿い設けてある。
基端側凸部２３の周面は、円弧状の凹部２５を複数設けた凹凸状に形成してあり、各凹部２５は各ピン孔２１と連なり、各コードピン３が納まるようにしてある。
【００１９】
後側端面２ｂには、図３に示すように、中心付近に円柱状の回転軸部２６が設けてあり、円盤体２の回転軸になるようにしてある。また、円柱状の凸軸部２７が外縁部付近に設けてあり、円盤体２の回転とともに移動するようにしてある。また、後側端面２ｂは、図２に示すように、円形板状の閉塞板２８で覆われており、ピン孔２１の開口部が塞がれるようにしてある。
【００２０】
コードピン３は、図２又は図４に示すように、細長円柱形状としてあり、円盤体２のピン孔２１にコイルバネ３２と共に挿入して前後方向に移動できるようにしてある。コードピン３の周面３ａには凹溝３１が周方向に刻まれている。本実施形態では、各コードピン３に凹溝３１を適宜間隔で２つ形成してあるが、これに限定されるものではなく、少なくとも１つ形成してあればよい。
【００２１】
ロックリング４は、図２に示すように、円盤体２と略同じ径のリング状としてあり、内周縁側に適宜間隔で円弧状の凹部４１を複数設け、各凹部４１に各コードピン３が納まるようにしてある。また、各凹部４１間の突出部分を突歯部４２としてある。
ロックリング４の外周縁側には、上側に向け角形状に突出した嵌合部４３が設けてあり、ケーシング７内に嵌合させて、ケーシング７内で位置決めをするとともにロックリング４が回転しないようにしてある。
【００２２】
キー５は、図５に示すように、円筒状としてあり、四角形板状の頭部５１の一辺から突出するように配してある。頭部５１は、指先などで摘み持つことができ、キー５を回転操作させることができる。
キー５の先端側の周面には、適宜間隔で円溝状に凹ませたピン溝５２が形成してあり、キー５を挿入口７５に挿入した際、各ピン溝５２に各コードピン３が納まり、各コードピン３を前側から後側に押し込めるようにしてある。各ピン溝５２は適宜深さで形成し、各コードピン３を適宜長さ押し込めるようにしてある。また、キー５の先端側上部には、角形状に切り欠いたキー溝５３が形成してあり、円盤体２の係合突部２４に係合できるようにしてある。
キー溝５３の奥側には、上側に向かい四角柱状に突出した位置合わせ突部５４が設けてある。
【００２３】
スライド部６は、図２又は図３に示すように、上辺を山形状に膨らませた変形四角板形状としてあり、後側面部６ａから突出する突片６３に連結爪６１を備え、ケーシング７内を上下方向にスライド可能としてある。
突片６３は、後側面部６ａの幅中間付近に設けてあり、上下方向に沿う角板状としてある。突片６３の先端部には、上方に角状に突出した連結爪６１が備えてある。
スライド部６の前側面部６ｂの下側寄りには、横向きに延びる長円形状の細長状凹部６２が形成してあり、円盤体２の凸軸部２７を移動可能に挿し込めるようにしてある。細長状凹部６２は貫通させた孔部でもよい。
【００２４】
円盤体２とスライド部６との間には、図２に示すように、縦長長円形板状の軸受板部８が設けてある。軸受板部８には、円形状の回転孔部８１が設けてあり、円盤体２の回転軸部２６が挿し込めるようにしてある。回転孔部８１の周囲には、上方から左側にかけて略１／４周に亘る円弧状孔部８２が設けてあり、円盤体２の凸軸部２７が移動可能に挿し込めるようにしてある。
【００２５】
ケーシング７は、図１〜図３に示すように、本体部７１と奥蓋部７２とを備え、本体部７１は、円筒状のシリンダ部７３と、シリンダ部７３の後側の略半分を一段上方に膨らませた膨出部７４とを有する側面視倒Ｌ字形状としてあり、内部に各部品を配せるようにしてある。
前側端面７ａには、中心付近に円形状孔の挿入口７５が設けてあり、キー５を挿入できるようにしてある。挿入口７５の縁部には、上方に向かい角形状に切り欠いた位置合わせ溝部７５ａが設けてあり、キー５をケーシング７に挿入する際、キー５の位置合わせ突部５４を合わせて挿入し、キー５の向きを決定することができるようにしてある。
【００２６】
膨出部７４は、その前部から頂部にかけての曲面に細長状の孔７４ａが形成してあり、その内側に球ジョイント９１を配して、ワイヤー９２などを傾動自在に連結できるようにしてある。本体部７１の頂部及び底部の後側には、上下方向に貫通した留め孔７４ｂが設けてあり、奥蓋部７２を留めるための留め具９３が挿入できるようにしてある。留め具９３には長さ方向の略半分にねじ山が形成してあり、留め孔７４ｂにはねじ溝が形成してあり締結できるようにしてある。
【００２７】
奥蓋部７２は、図２又は図３に示すように、ケーシング７の後側の端面を塞ぐものであり、縦長長円板状の蓋面部７２ａの周囲に、前側に向けて突出した側面部７２ｂが設けてある。側面部７２ｂの内側に、スライド部６を上下方向に移動可能なように納めることができる。また、側面部７２ｂの頂部及び底部には、上下方向に貫通する留め孔７２ｃが設けてあり、留め具９３が挿入できるようにしてある。
蓋面部７２ａの上方寄りには、縦長スリット状の挿入孔７６が設けてあり、スライド部６の突片６３を挿し通すことができるようにしてある。
【００２８】
蓋面部７２ａには、挿入孔７６の対向する縁部から後側に突出する連結片７７が設けてあり、連結片７７は、上下方向に沿い並行状に形成され、この間隙に突片６３を上下方向にスライド可能に入り込ませ、突片６３が上下動することにより連結爪６１が連結片７７間に出入りするようにしてある。
突片６２と連結片７７で対象物に連結できる連結部７８を形成する。連結片７７の先端側には、下側に向けて突出する固定連結爪７７ａが設けてあり、対象物に着脱可能に連結できるようにしてある。対象物としては、ノートパソコンやタブレットなどの情報機器を挙げることができる。
図２中の符号７９は、クッション材であり、蓋面部７２ａにクッション材７９を設けることにより対象物に連結した際、対象物を傷付けにくくすることができる。
【００２９】
以下に、錠１の組み立て方法の一例を説明する。
例えば、まず、円盤体２の後側端面２ｂに閉塞板２８を取り付け、ピン孔２１の開口部を閉塞する。そして、円盤体２の各ピン孔２１に、コイルバネ３２を挿入した後、コードピン３を挿入する。ロックリング４を、嵌合部４３を上側に向かせつつ、各凹部４１に各コードピン３が納まるようにして円盤体２の前側端面２ａに接面させる。
【００３０】
この状態で、円盤体２を、係合凸部２４が上向きになるようにしてケーシング７内に配し、先端側凸部２２の端面がケーシング７の前側端面７ａと面一になるようにする。錠１にワイヤー９２を取り付ける場合は、球ジョイント９１を、先端連結部が孔７４ａから外側に露出するようにケーシング７内に配する。
【００３１】
次に、軸受板部８を、回転孔部８１に回転軸部２６を挿入し、円弧状孔部８２に凸軸部２７を挿入するようにして、ケーシング７内に取り付ける。
スライド部６を、連結爪６１を上側に向けて細長状凹部６２に凸軸部２７が挿入するようにケーシング７内に配する。
【００３２】
最後に、奥蓋部７２を、スライド部６の突片６３を挿入孔７６に挿入させ、連結片７７の間隙内に入るようにして、ケーシング７の後側端面を閉塞する。留め具９３を留め孔７４ｂ及び留め孔７２ｃに挿入して締結し、錠１を組み立てることができる。
【００３３】
錠１にキー５を挿入して、約１／４回転させることにより、施錠又は解錠することができる。
より詳しく説明すると、挿入口７５にキー５を挿入する。この際、位置合わせ溝部７５ａに位置合わせ突部５４を合わせることにより、キー５を挿入口７５に挿入できる。また、キー５をこの向きにすることにより、係合突部２４がキー溝５３に合うとともに、各コードピン３が各ピン溝５２に納まるように挿入できる。
円盤体２は、常時は、図６に示すように、コードピン３の周面３ａが突歯部４２に引っ掛かるため回転させることはできないように設定されている。キー５を押し込むと、各コードピン３は、各ピン溝５２の深さ分だけ後側に押し込まれる。このときに、図７に示すように、各コードピン３の凹溝３１がロックリング４の位置に揃う。このように、キー５を押し込むことにより、各コードピン３の凹溝３１がロックリング４の位置に揃うようになり、突歯部４２は凹溝３１の位置に揃うことになるため、コードピン３の周面３ａへの引っ掛かりが解除されて、円盤体２は回転することができる。この際、円盤体２の係合突部２４は、キー溝５３と係合しているため、キー５を回転操作することにより回転させることができる。
【００３４】
円盤体２を回転させると、円盤体２の後側端面２ｂの凸軸部２７は、細長状凹部６２に挿入されているため、この凹部６２内を移動し、スライド部６が上下に移動することになる。スライド部６が上下に移動することにより、連結爪６１も上下に移動するため、連結片７７の間隙を上下に移動し、連結爪６１が連結片７７から出入りして、対象物に着脱することができる。
なお、凸軸部２７は、円弧状孔部８２にも挿入されているため、円盤体２は、この範囲で回転することができ、つまり、約１／４回転するように規制されている。
【００３５】
このような、錠１は、例えば、情報機器盗難防止用ロックに用いることができ、ノートパソコンやタブレットパソコンのセキュリティスロットに連結部７８を連結して使用することができる。
この場合、常時は、連結爪６１は連結片７７の間隙内に納まり、外側に露出させないようにする。この状態で、連結部７８をセキュリティスロット内に入れ、キー５を挿入口７５に挿入して押し込み、右に約１／４回転させると連結爪６１が上方に移動し、連結片７７の間隙から出て来て外側に露出する。この際、連結部７８は倒Ｔ字状になり、連結爪６１と固定連結爪７７ａとで情報機器のセキュリティスロットに係止して連結される。錠１に備えたワイヤー９２の他端部を机などの固定物に固定しておけば情報機器を盗難から防ぐことができる。
【００３６】
錠１の情報機器への連結を解除するには、キー５を逆方向、つまり左に約１／４回転させることにより、連結爪６１が下方に移動し、連結片７７の間隙に入り込み内側に没入させることができる。連結爪６１の情報機器への係止が解除されるため、取り外すことができる。
【００３７】
また、錠１は、マスターキーを設定することもできる。詳しく説明するため、図８に、４本のコードピン３を用いた場合を例示する。
図８（ａ）に示すように、各コードピン３に１ヶ所又は２ヶ所の凹溝３１を設け、キー５を挿入する前は、各コードピン３の前側端面が揃い、周面３ａはロックリング４の突歯部４２に掛り、円盤体２を回転させることはできないようにしてある。
図８（ｂ）に示すように、個別のキー５ａは、コードピン３の前側の凹溝３１がロックリング４の位置に揃うようにピン溝５２の深さを設定しておき、解錠できるようにすることができる。
図８（ｃ）に示すように、マスターキー５ｂは、コードピン３の後側の凹溝３１がロックリング４の位置に揃うようにピン溝５２の深さを設定しておき、解錠できるようにすることができる。
このように、前側の凹溝３１を個別のキー用にし、後側の凹溝３１をマスターキー用とすることもできる。後側の凹溝３１の位置を他の錠でも同じ位置に刻むようにしておけば、どの錠もマスターキーで解錠することができるようになり、複数の錠を１本のマスターキーで解錠することができる。
【００３８】
上記のように、錠１は、コードピン３を分割しなくて済み、部品点数を少なくできるため、小型化しやすくなる。例えば、錠１全体或いはケーシング７の外形を、前後方向の長さ２０ｍｍ以内、好ましくは１８ｍｍ以内及び上下方向の高さ２０ｍｍ以内、好ましくは１８ｍｍ以内にすることができる。
また、例えば、コードピン３を８本とし、各コードピン３に４つの凹溝３１を刻めば、４の８乗、つまり、６５，５３６通りのキー５を設定することができる。
さらに、錠１は、上記したとおり、コードピン３に複数の凹溝３１を刻むことによりマスターキーを設定することもできるものである。
【００３９】
上記第一の実施形態の錠１では、コードピン３を細長円柱形状であるが、これに限定されるものではなく、例えば、図９に示す変形例のように、細長長方板状のコードピン３ｘにすることもできる。この場合、円盤体２ｘは、周面にスリット状の細溝２１ｘを形成し、コードピン３ｘを前後方向にスライド可能に挿し込めるようにしてある。コードピン３ｘには、凹溝３１の代わりに角状の切欠部３１ｘを設けてある。ロックリング４ｘには、角状の凹部４１ｘを設け、コードピン３ｘが納まるようにしてある。
【００４０】
このような形態にしても、各コードピン３ｘをキー５により押し込み、各コードピン３ｘの切欠部３１ｘをロックリング４ｘの突歯部４２ｘの位置に揃えることにより、円盤体２ｘを回転させることができ、錠１と同様の作用効果が得られる。
【００４１】
以下、本発明の第二の実施形態のチューブラー・ピンタンブラー錠を説明する。但し、本発明は、この実施形態に限定されるものではない。
【００４２】
本発明の第二の実施形態のチューブラー・ピンタンブラー錠１１（以下、単に錠１１と略す。）は、図１０〜図１２に示すように、円盤体２と、コードピン３と、ロックリング４と、キー５と、連結爪１６１を有するスライド部１６と、ケーシング１７とを主に備える。
以下、錠１１を説明するにあたり、キー５の挿入方向を前後方向として、キー５を挿入する挿入口７５側を前側とし、スライド部１６のスライド方向を上下方向とし、連結爪１６１側を下側とする。
【００４３】
円盤体２、コードピン３、ロックリング４及びキー５は、上記第一の実施形態で用いたものと同様のものを使用することができるため、上記と同一の名称及び符号を用いて説明し、詳しい説明は省略する。
【００４４】
スライド部１６は、図１１又は図１２に示すように、縦長長方板形状としてあり、後側面部１６ａから突出する突片１６３に連結爪１６１を備え、ケーシング１７内を上下方向にスライド可能としてある。
突片１６３は、後側面部１６ａの幅中間付近から突出するように設けてあり、上下方向に沿う角板状としてある。突片１６３の先端部には、下側に角状に突出した連結爪１６１が備えてある。
前側面部１６ｂには、上辺から前側に向かい突出する係合片１６４が設けてあり、後述するロックボタン９４に係合できるようにしてある。また、前側面部１６ｂには、面上に四角板状の係止部１６５を備える。係止部１６５は、左辺側に縦長長方形状に突出する係止爪１６６を有する。係止部１６５は、金属などの弾性力のある材質で形成されており、左側約半分を前側に折り曲げて傾斜状とした傾斜面部１６５ａとし、傾斜面部１６５ａにより係止爪１６６を前側に付勢させてある。
【００４５】
円盤体２とスライド部１６との間には、図１１又は図１２に示すように、縦長長円形板状の係止受部１８が設けてある。係止受部１８には、円形状に凹ませた軸凹部１８１が設けてあり、円盤体２の回転軸部２６が挿し込めるようにしてある。軸凹部１８１の左上側には、切り抜き部１８４が設けてある。切り抜き部１８４は、円盤体２の凸軸部２７を挿し込み、凸軸部２７の移動範囲を規制する孔部１８２と、係止爪１６６を係止できるスリット部１８３と、を兼ねるものである。孔部１８２は、軸凹部１８１を中心として凸軸部２７が移動する円弧状の範囲としてあり、スリット部１８３は、切り抜き部１８４の左上角部から上側に延びるＵ字状切欠き１８３ａを含み、上下方向に延びる細長筋状の範囲としてある。
係止受部１８の上辺側は、四角状に切り欠いてあり、この切り欠き内をスライド部１６の係合片１６４が上下方向に移動可能なように配してある。
【００４６】
ケーシング１７は、第一の実施形態で示したケーシング７と略同じ形状であるが、ロックボタン９４を挿し通すボタン用孔１７ａを有する点で異なる。それ以外の部分は、ケーシング７と同一の名称及び符号を用いて説明し、詳しい説明は省略する。なお、奥蓋部７２は、第一の実施形態とは上下反転させて固定してある。
【００４７】
膨出部７４の頂部には、ロックボタン９４を挿し通すための長方形状のボタン用孔１７ａが設けてあり、ロックボタン９４がボタン用孔１７ａ内を上下方向に移動できるようにしてある。
【００４８】
ロックボタン９４は、図１１又は図１２に示すように、下側を開口部とした縦長直方体箱状に形成してあり、内部にコイルバネ９５が納められ、ケーシング１７内で上側に付勢されるようにしてある。
ロックボタン９４の後側面部９４ａには、長方形状の孔部９４ｂが設けてあり、スライド部１６の係合片１６４の先端部が嵌まり、ロックボタン９４の上下動とともにスライド部１６が連動して上下動するようにしてある。
【００４９】
以下に、錠１１の組み立て方法の一例を説明する。
例えば、まず、円盤体２、コードピン３及びロックリング４は、上記第一の実施形態と同様にしてケーシング１７内に配する。
【００５０】
次に、係止受部１８を、軸凹部１８１に回転軸部２６を挿入し、孔部１８２に凸軸部２７を挿入するようにして、ケーシング１７内に取り付ける。
ロックボタン９４内にコイルバネ９５を納め、ボタン用孔１７ａからロックボタン９４を挿入した状態で、スライド部１６をケーシング１７の後端部側から挿し入れて係合片１６４の先端部が孔部９４ａに嵌るようにする。
【００５１】
最後に、奥蓋部７２を、スライド部１６の突片１６３を挿入孔７６に挿入し、連結片７７の間隙内に入るようにして、ケーシング１７の後側端面を閉塞する。留め具９３を留め孔７４ｂ及び留め孔７２ｃに挿入して締結し、錠１１を組み立てることができる。
【００５２】
錠１１は、ロックボタン９４を押し込むことにより連結片７７間から連結爪１６１が出てきて施錠することができる。また、挿入口７５にキー５を挿入して、約１／４回転させることにより連結爪１６１が連結片７７間に入り込み解錠することができる。
より詳しく説明すると、図１２に示すように、ロックボタン９４を下側に押し込むと、スライド部１６は、係合片１６４でロックボタン９４と連結されているため、連動して下側にスライドする。この際、図１３（ａ）に示すように、係止爪１６６の先端部は係止受部１８の面上を当接しながら下側にスライドする。係止爪１６６が係止受部１８のスリット部１８３に到達すると、図１３（ｂ）に示すように、係止爪１６６は傾斜面部１６５ａにより前側に付勢されているので、係止爪１６６がスリット部１８３内に入り込む。この状態で、ロックボタン９４の押し込みを止めて開放すると、スライド部１６はコイルバネ９５により上側に付勢されているため、上側に戻ろうとするが、係止爪１６６がスリット部１８３に係止されているため、上側に移動することは規制され、図１４に示すように、下側に位置する状態が維持される。そして、連結爪１６１は、連結片７７間から突出した状態を維持するため対象物に連結することができる。
【００５３】
解錠する場合は、挿入口７５にキー５を挿入する。これにより、上記第一の実施形態で説明したとおり、各コードピン３の凹溝３１がロックリング４の位置に揃うようになり、突歯部４２は凹溝３１の位置に合い、コードピン３の周面３ａへの引っ掛かりが解除されるため、円盤体２を回転させることができる。
【００５４】
円盤体２を回転させると、図１３（ｃ）に示すように、円盤体２の後側端面２ｂの凸軸部２７は、円盤体２とともに回転し、先端部が傾斜面部１６５ａに当たり、傾斜面部１６５ａを後側（矢印Ａ方向）に押し込む。これにより、係止爪１６６はスリット部１８３から外れ、スリット部１８３への係止が解除される。スライド部１６は、コイルバネ９５により上側に付勢されているため、上側に向かいスライドする。この際、連結爪１６１も上側に移動するため、連結片７７の間隙に連結爪１６１が入り込み、対象物から解放することができる。
【００５５】
このような錠１１は、例えば、情報機器盗難防止用ロックに用いることができ、ノートパソコンやタブレットパソコンのセキュリティスロットに連結部７８を連結して使用することができる。
この場合、常時は、連結爪１６１は連結片７７の間隙内に納まり、外側に露出させないようにする。この状態で、連結部７８をセキュリティスロット内に入れ、ロックボタン９４を押し込むと、連結爪１６１が下方に移動し、連結片７７の間隙から出て来て外側に露出する。この際、連結部７８は倒Ｔ字状になり、連結爪１６１と固定連結爪７７ａとで情報機器のセキュリティスロットに係止して連結される。錠１１に備えたワイヤー９２の他端部を机などの固定物に固定しておけば情報機器を盗難から防ぐことができる。
【００５６】
錠１１の情報機器への連結を解除するには、キー５を左に約１／４回転させることにより、連結爪１６１が上方に移動し、連結片７７の間隙に入り込み内側に没入させることができる。そのため、連結爪１６１の情報機器への係止が解除されるため、取り外すことができる。
【００５７】
このように、錠１１は、上記第一の実施形態と同様に、コードピン３を分割しなくて済むため、部品点数を少なくでき、小型化しやすくなる。例えば、錠１１又はケーシング１７の外形を、前後方向の長さ２０ｍｍ以内、好ましくは１８ｍｍ以内及び上下方向の高さ２０ｍｍ以内、好ましくは１８ｍｍ以内にすることができる。
さらに、錠１１は、上記と同様に、コードピン３に複数の凹溝３１を刻むことによりマスターキーを設定することもできるものである。
【符号の説明】
【００５８】
１…チューブラー・ピンタンブラー錠
２…円盤体
２ａ…前側端面
２ｂ…後側端面
２１…ピン孔
２２…先端側凸部
２３…基端側凸部
２４…係合凸部
２５…凹部
２６…回転軸部
２７…凸軸部
３…コードピン
３ａ…外周面
３１…凹溝
３２…コイルバネ
４…ロックリング
４１…凹部
４２…突歯部
４３…嵌合部
５…キー
５１…頭部
５２…凹溝
５３…キー溝
５４…位置合わせ突部
６…スライド部
６ａ…後側面部
６１…連結爪
６２…細長状凹部
６３…突片
７…ケーシング
７ａ…前側端面
７１…本体部
７２…奥蓋部
７２ａ…蓋面部
７２ｂ…側面部
７２ｃ…留め孔
７３…シリンダ部
７４…膨出部
７４ａ…孔
７４ｂ…留め孔
７５…挿入口
７５ａ…位置合わせ溝部
７６…挿入孔
７７…連結片
７７ａ…固定連結爪
７８…連結部
７９クッション材
８…軸受板部
８１…回転孔部
８２…円弧状孔部
９１…球ジョイント
９２…ワイヤー
９３…留め具
【図１】
2020063627.tif 000003
【図２】
2020063627.tif 000004
【図３】
2020063627.tif 000005
【図４】
2020063627.tif 000006
【図５】
2020063627.tif 000007
【図６】
2020063627.tif 000008
【図７】
2020063627.tif 000009
【図８】
2020063627.tif 000010
【図９】
2020063627.tif 000011
【図１０】
2020063627.tif 000012
【図１１】
2020063627.tif 000013
【図１２】
2020063627.tif 000014
【図１３】
2020063627.tif 000015
【図１４】
2020063627.tif 000016
【図１５】
2020063627.tif 000017